(57)【要約】【課題】キャビネット用のアウトセット式で上吊り式の引戸を備えた引戸装置において、引戸の開放時であってもレールが露出せず、キャビネットの良好な意匠性を確保することができる引戸装置を提供する。【解決手段】キャビネット１の天板２の上面に上レール用溝２ａが形成され、上レール用溝２ａに外引戸用の外上レール８ａと内引戸用の内上レール８ｂが嵌入される。キャビネット１の天板２の下面に下レール用溝３ａが形成され、下レール用溝３ａに外引戸用の外下レール８ａと内引戸用の内下レール８ｂが嵌入される。外引戸６の上部に外上走行部１０の外上取付板１１が固定され、外上取付板１１には外上ローラ支持部１２が高さ調整可能に取り付けられる。外上ローラ支持部１２に外上レール８ａに係合する外上ローラ１３が軸支される。【選択図】図４
2006207196.tif 000002
【特許請求の範囲】
【請求項１】
キャビネット用のアウトセット式且つ上吊り式の外引戸と内引戸を備えた引戸装置において、
該キャビネットの天板の上面に上レール用溝が形成され、該上レール用溝に外引戸用の外上レールと内引戸用の内上レールが嵌入され、キャビネットの地板の下面に下レール用溝が形成され、該下レール用溝に外引戸用の外下レールと内引戸用の内下レールが嵌入され、
該外引戸の上部に外上走行部の外上取付板が固定され、該外上取付板には外上ローラ支持部が高さ調整可能に取り付けられると共に、該外上ローラ支持部に該外上レールに係合する外上ローラが軸支され、
該内引戸の上部に内上走行部の内上取付板が固定され、該内上取付板には内上ローラ支持部が高さ調整可能に取り付けられると共に、該内上ローラ支持部に該内上レールに係合する内上ローラが軸支され、
該外引戸の下部に外下ガイド部の外下取付板が固定され、該外下取付板には外ガイドローラ支持部が取り付けられ、該外ガイドローラ支持部には前記外下レールに係合する外ガイドローラが軸支され、
該内引戸の下部に内下ガイド部の内下取付板が固定され、該内下取付板には内ガイドローラ支持部が取り付けられ、該内ガイドローラ支持部には前記内下レールに係合する内ガイドローラが軸支されたことを特徴とする引戸装置。
【請求項２】
前記外上取付板には外上ローラ支持部の高さを調整するための高さ調整ねじが横方向に向けて配設され、前記内上取付板には内上ローラ支持部の高さを調整するための高さ調整ねじが横方向に向けて配設され、外引戸または内引戸の側方から内側に挿入した工具により該高さ調整ねじを回して高さ調整を行うように構成したことを特徴とする請求項１記載の引戸装置。
【請求項３】
前記外下取付板と外下ガイドローラ支持部に、及び前記内下取付板と内下ガイドローラ支持部に、各々弾性変形可能で相互に係止可能な係止部と被係止部が設けられ、該外下取付板に対し外下ガイドローラ支持部を下側から上方に向けて挿入したとき、該外下ガイドローラ支持部が外下取付板の定位置に嵌着され、該内下取付板に対し内下ガイドローラ支持部を下側から上方に向けて挿入したとき、該内下ガイドローラ支持部が内下取付板の定位置に嵌着されるように構成したことを特徴とする請求項１記載の引戸装置。
【発明の詳細な説明】
【技術分野】
【０００１】
本発明は、キッチン、洗面化粧台などのキャビネットの引戸として使用される、アウトセット型の上吊り式の引戸装置に関する。
【背景技術】
【０００２】
従来、キッチン、洗面化粧台などのキャビネットにおいて、上吊り式の引戸が開閉の容易性から数多く使用されており、この種の上吊り式引戸としては、一般に、インセット型の引戸が、通常キャビネットの扉として使用されている。しかし、インセット型の引戸装置は、引戸がキャビネットの内側に入るため、キャビネットの天板と地板の木口が引戸の周囲に目立つように露出し、これにより、引戸装置を含めたキャビネットの外観の意匠性が悪化する課題があった。
【０００３】
そこで、従来、キャビネット用の上吊り式の引戸装置として、下記特許文献１のようなアウトセット式の引戸が提案されている。
【特許文献１】特開２００２−２４２５１６号公報
【発明の開示】
【発明が解決しようとする課題】
【０００４】
しかし、従来のこの種の上吊り式引戸装置は、上レールがキャビネットの天板の上面に突出して取り付けられているため、引戸が天板を覆う大きさに形成されている場合であっても、引戸を開いたときに、上レールがキャビネットの正面に露出し、引戸の開放時のキャビネットの良好な意匠性が悪化しやすいという課題があった。
【０００５】
本発明は、上述の課題を解決するものであり、キャビネット用のアウトセット式で上吊り式の引戸を備えた引戸装置において、引戸の開放時であってもレールが露出せず、キャビネットの良好な意匠性を確保することができる引戸装置を提供することを目的とする。
【課題を解決するための手段】
【０００６】
本発明に係る引戸装置は、キャビネット用のアウトセット式且つ上吊り式の外引戸と内引戸を備えた引戸装置において、
該キャビネットの天板の上面に上レール用溝が形成され、該上レール用溝に外引戸用の外上レールと内引戸用の内上レールが嵌入され、キャビネットの地板の下面に下レール用溝が形成され、該下レール用溝に外引戸用の外下レールと内引戸用の内下レールが嵌入され、
該外引戸の上部に外上走行部の外上取付板が固定され、該外上取付板には外上ローラ支持部が高さ調整可能に取り付けられると共に、該外上ローラ支持部に該外上レールに係合する外上ローラが軸支され、
該内引戸の上部に内上走行部の内上取付板が固定され、該内上取付板には内上ローラ支持部が高さ調整可能に取り付けられると共に、該内上ローラ支持部に該内上レールに係合する内上ローラが軸支され、
該外引戸の下部に外下ガイド部の外下取付板が固定され、該外下取付板には外ガイドローラ支持部が取り付けられ、該外ガイドローラ支持部には前記外下レールに係合する外ガイドローラが軸支され、
該内引戸の下部に内下ガイド部の内下取付板が固定され、該内下取付板には内ガイドローラ支持部が取り付けられ、該内ガイドローラ支持部には前記内下レールに係合する内ガイドローラが軸支されたことを特徴とする。
【０００７】
ここで、上記引戸装置は、請求項２のように、前記外上取付板に、外上ローラ支持部の高さを調整するための高さ調整ねじが横方向に向けて配設され、前記内上取付板には内上ローラ支持部の高さを調整するための高さ調整ねじが横方向に向けて配設され、外引戸または内引戸の側方から内側に挿入した工具により該高さ調整ねじを回して高さ調整を行うように構成することができる。
【０００８】
また、請求項３のように、前記外下取付板と外下ガイドローラ支持部に、及び前記内下取付板と内下ガイドローラ支持部に、各々弾性変形可能で相互に係止可能な係止部と被係止部が設けられ、該外下取付板に対し外下ガイドローラ支持部を下側から上方に向けて挿入したとき、該外下ガイドローラ支持部が外下取付板の定位置に嵌着され、該内下取付板に対し内下ガイドローラ支持部を下側から上方に向けて挿入したとき、該内下ガイドローラ支持部が内下取付板の定位置に嵌着されるように構成することができる。
【発明の効果】
【０００９】
上記構成の引戸装置によれば、外引戸と内引戸を備えたキャビネットであっても、アウトセット式で上吊り式の引戸とすることにより、両引戸を閉じた状態では、正面からキャビネットの木口が露出しないので、キャビネットの意匠性を向上させることができる。また、キャビネットの天板の上面に上レール用溝が形成され、上レール用溝に外上レールと内上レールが嵌入され、キャビネットの地板の下面に下レール用溝が形成され、下レール用溝に下レールが嵌入されているため、引戸を開いたときに、上レール及び下レールがキャビネットの正面に露出せず、レールや走行部をキャビネットの正面から見えなくして、キャビネットの良好な意匠性を確保することができる。
【００１０】
さらに、引戸の側方から挿入した工具により高さ調整ねじを回して高さ調整を行うように構成した場合、引戸の高さを調整する際、開いた引戸の側方からねじ回しなどを挿入し、それを側方から視認しながら、高さ調整ねじを回して高さ調整を行うことができるから、引戸の高さ調整を容易に行うことができる。
【００１１】
さらに、外下ガイドローラ支持部を外下取付板に対し下側から上方に向かって定位置に挿入して嵌着し、内下ガイドローラ支持部を内下取付板に対し下側から上方に向かって定位置に挿入し嵌着するように構成すれば、キャビネットに引戸を取り付ける際、先ず外引戸の外上走行部を上レールの外上レールに係合させ、内引戸の内上走行部を上レールの内上レールに係合させて引戸を吊下げた状態とし、次に、外引戸の下部に固定された外下取付板に外下ガイドローラ支持部を定位置に嵌着させ、内引戸の下部に固定された内下取付板に内下ガイドローラ支持部を定位置に嵌着するだけの簡単な操作で、外下ガイドローラ支持部と内下ガイドローラ支持部を下ガイドレールに係合させ、引戸装置の取付け作業を完了することができる。
【発明を実施するための最良の形態】
【００１２】
以下、本発明の一実施形態を図面に基づいて説明する。図１は引戸装置を取り付けたキャビネット１の斜視図を示し、図２はその外引戸６の各走行部を示す断面図を、図３はその内引戸７の各走行部を示す断面図を示し、図４は、引戸の正面に対し直角方向の拡大縦断面図を示している。キャビネット１は、天板２と地板３と両側の側板４，５とを有して箱型に構成され、キャビネット１の前部には、上吊り式でアウトセット式の外引戸６と内引戸７が、外上走行部１０と内上走行部２０を介して、上レール８の外上レール８ａと内上レール８ｂ上を引き違い状に走行し、開閉するように装着される。
【００１３】
図４に示すように、キャビネット１の天板２の上面に、上レール用溝２ａが形成され、その上レール用溝に２ａに上レール８が嵌入され、正面から見えないように埋め込まれている。上レール８は外上レール８ａと内上レール８ｂとを有し、外上レール８ａと内上レール８ｂの内側には溝部が長手方向に沿って形成されている。外上レール８ａと内上レール８ｂは、その上に後述の外上ローラ１３と内上ローラ２３が走行可能に係合し、レールの内側の溝部には、後述の外上ローラ支持部１２、内上ローラ支持部２２の各突出部１２ａ，２２ａが進入し、外上走行部１０と内上走行部２０のレールからの外れを防止している。
【００１４】
外上走行部１０は、図５、図９、図１３に示すように、金属板を略コ字状に曲折した外上取付板１１と、外上取付板１１の先端側に上下動可能に取り付けられ、外上ローラ１３を軸支する外上ローラ支持部１２と、外上取付板１１の端部に設けられた直角曲折部１１ａにねじ込まれ、外上取付板１１に対し外上ロータ支持部１２の高さ位置を調整するための高さ調整ねじ１４とを有して構成される。
【００１５】
なお、図２に示すように、外上走行部１０は、外引戸６の上部両側に取り付けられるが、両側の外上走行部１０、１０は左右対称形に形成され、左右対称形以外の形状と構成は全く同じであり、図面には同じ符号を付して説明する。図５、図９、図１３に示すように、外上取付板１１は、外引戸６に固定される側の面に、固定ねじ用の固定孔１１ｃが複数個穿設され、外上ローラ支持部１２が取り付けられる先端側面に、２本の軸支ピン１１ｂ、１１ｄがかしめ固定され、この２本の軸支ピン１１ｂ、１１ｄにより、外上ローラ支持部１２を所定の数ミリ幅で上下動可能に支持する。
【００１６】
すなわち、一方の軸支ピン１１ｂは外上ローラ支持部１２を回動可能に軸支し、他方の軸支ピン１１ｄは、外上ローラ支持部１２に設けた長孔１２ｃに挿通されている。そして、図５に示すように、外上ローラ支持部１２における上記直角曲折部１１ａの近傍位置には、高さ調整ねじ１４の先端部が係合する係合部１２ｂが設けられている。高さ調整ねじ１４の先端は、その係合部１２ｂに対し、外上ローラ支持部１２が所定の角度範囲で回動可能に間隙をもって係合しており、使用状態において、外引戸６を吊下げたときの荷重は外上ローラ１３と外上ローラ支持部１２を介して高さ調整ねじ１４の先端にかかり、高さ調整ねじ１４のねじ込み量を調整することにより、外上ローラ支持部１２の水平傾斜角度を僅かに変化させ、外引戸６の高さを調整する。外上ローラ１３は、外上ローラ支持部１２の内側に、その上部に開口した開口部から僅かにローラ上部を突き出すようにして、軸１３ａにより回動自在に軸支される。
【００１７】
図２に示すように、上記構成の外上走行部１０は、上述の如く外引戸６の上部両側に、左右対称形に形成されて取り付けられるが、高さ調整ねじ１４は、外引戸６の両端部側に向くように配置され、外引戸６の高さ調整を引戸の正面側から容易に行なえるようにしている。
【００１８】
内上走行部２０は、図７、図１１、図１４に示すように、平板状の内上取付板２１と、内上取付板２１の内側に上下動可能に取り付けられ、内上ローラ２３を軸支する内上ローラ支持部２２と、内上取付板２１の端部に設けられた直角曲折部２１ａにねじ込まれ、内上取付板２１に対し内上ローラ支持部２２の高さ位置を調整するための高さ調整ねじ２４とを有して構成される。
【００１９】
なお、図３に示すように、内上走行部２０は、内引戸７の上部両側に取り付けられるが、両側の内上走行部２０、２０は、左右対称形に形成される以外、その形状と構成は全く同じであり、図面には同じ符号を付して説明する。図７、図１１、図１４に示すように、内上取付板２１は、内引戸７に固定するために、固定ねじ用の固定孔２１ｃが複数個穿設され、内上ローラ支持部２２が取り付けられる先端側面に、２本の軸支ピン２１ｂ、２１ｄがかしめ固定され、この２本の軸支ピン２１ｂ、２１ｄにより、内上ローラ支持部２２を所定の数ミリ幅で上下動可能に支持する。
【００２０】
すなわち、一方の軸支ピン２１ｂは内上ローラ支持部２２を回動可能に軸支し、他方の軸支ピン２１ｄは、内上ローラ支持部２２に設けた長孔２２ｃに挿通されている。そして、図７に示すように、内上ローラ支持部２２における直角曲折部２１ａの近傍位置には、高さ調整ねじ２４の先端部が係合する係合部２２ｂが設けられている。高さ調整ねじ２４の先端は、その係合部２２ｂに対し、内上ローラ支持部２２が所定の角度範囲で回動可能に間隙をもって係合しており、使用状態において、内引戸７を吊下げたときの荷重は内上ローラ２３と内上ローラ支持部２２を介して高さ調整ねじ２４の先端にかかり、高さ調整ねじ２４のねじ込み量を調整することにより、内上ローラ支持部２２の水平傾斜角度を僅かに変化させ、内引戸７の高さを調整する。内上ローラ２３は、内上ローラ支持部２２の内側に、その上部に開口した開口部から僅かにローラ上部を突き出すようにして、軸２３ａにより回動自在に軸支される。
【００２１】
図３に示すように、上記構成の内上走行部２０は、内引戸７の上部両側に、左右対称形に形成されて取り付けられるが、両側の高さ調整ねじ２４は、内引戸７の両端部側に向くように配置され、内引戸７の高さ調整を引戸の正面側から容易に行なえるようにしている。
【００２２】
一方、図４に示すように、キャビネット１の地板３の下面に、下レール用溝３ａが形成され、その下レール用溝３ａに下ガイドレール９が嵌入され、正面から見えないように埋め込まれている。下ガイドレール９には外下ガイド溝９ａと内下ガイド溝９ｂとが長手方向に沿って平行に設けられている。
【００２３】
外引戸６の下部の両側には、図２に示すように、外下ガイド部３０が取り付けられ、外下ガイド部３０の外ガイドローラ３３が、地板３の下面に嵌め込まれた下ガイドレール９の外下ガイド溝９ａに転動可能に係合するように取り付けられる。
【００２４】
外下ガイド部３０は、図６、図１５に示すように、矩形の平板状に形成された外下取付板３１と、外下取付板３１に下側から嵌着され、外ガイドローラ３３を軸支した外ガイドローラ支持部３２と、から構成される。外下取付板３１は、４隅に取付用の固定孔を穿設し、中央部に薄い矩形凹部３１ａを背面側と下側に開口して形成し、さらに、その矩形凹部３１ａの両側に弾性係止部３１ｂを弾性変形可能に設けている。弾性係止部３１ｂは、矩形凹部３１ａに一部を突き出すように形成され、外ガイドローラ支持部３２を矩形凹部３１ａに下方から押し込むように挿入したとき、内側に撓み、外ガイドローラ支持部３２の両側に設けた係止部３２ａに係止される構造となっている。外ガイドローラ支持部３２は、図１６に示すように、金属板を略Ｌ字状に曲折して形成され、その先端部に外ガイドローラ３３が上向きに軸３３ａによって回動自在に軸支され、その縦板部分の両側に上記矩形凹部３１ａに係合可能な係止部３２ａが形成されている。このような外下ガイド部３０は、外引戸６の下部内側の両側に、図２のように取り付けられる。
【００２５】
一方、内引戸７の下部の両側には、図３に示すように、内下ガイド部４０が取り付けられ、内下ガイド部４０の内ガイドローラ４３が、地板３の下面に嵌め込まれた下ガイドレール９の内下ガイド溝９ｂに転動可能に係合するように取り付けられる。
【００２６】
内下ガイド部４０は、図８、図１７に示すように、矩形の平板状に形成された内下取付板４１と、内下取付板４１に下側から嵌着され、内ガイドローラ４３を軸支した内ガイドローラ支持部４２と、から構成される。内下取付板４１は、４隅に取付用の固定孔を穿設し、中央部に薄い矩形凹部４１ａを背面側と下側に開口して形成し、さらに、その矩形凹部４１ａの両側に弾性係止部４１ｂを弾性変形可能に設けている。弾性係止部４１ｂは、矩形凹部４１ａに一部を突き出すように形成され、内ガイドローラ支持部４２を矩形凹部４１ａに下方から押し込むように挿入したとき、内側に撓み、内ガイドローラ支持部４２の両側に設けた係止部４２ａに係止される構造となっている。内ガイドローラ支持部４２は、図１８に示すように、金属板を略Ｌ字状に曲折して形成され、その先端部に内ガイドローラ４３が上向きに軸４３ａによって回動自在に軸支され、その縦板部分の両側に上記矩形凹部４１ａに係合可能な係止部４２ａが形成されている。このような内下ガイド部４０は、内引戸７の下部内側の両側に、図３のように取り付けられる。
【００２７】
キャビネット１に外引戸６と内引戸７を取り付ける場合、先ず、上記構成の外上走行部１０を外引戸６の上部両側の内側に、外上取付板１１を介して固定孔１１ｃに固定ねじをねじ込み締め付け固定する。さらに、外引戸６の下部両側の内側に、外下走行部３０の外下取付板３１を固定孔に固定ねじをねじ込み締め付け固定する。同様に、内上走行部２０を内引戸７の上部両側の内側に、内上取付板２１を介して固定孔２１ｃに固定ねじをねじ込み締め付け固定する。さらに、内引戸７の下部両側の内側に、内下走行部４０の内下取付板４１を固定孔に固定ねじをねじ込み締め付け固定する。
【００２８】
次に、内上走行部２０の内上ローラ２３を内上レール８ｂ上に載置して吊下げるように、内引戸７を上レール８に係合させる。そして、内引戸７下部の内下取付板４１内側の凹部４１ａに、予め挿入されている内ガイドローラ支持部４２を、下から上に押し込むように装着する。このとき、図４に示すように、内ガイドローラ支持部４２の内ガイドローラ４３が下ガイドレール９の内下ガイド溝９ｂに入る。そして、図１７に示すように、内下取付板４１の係止部４１ｂが弾性変形して内ガイドローラ支持部４２の両側の被係止部４２ａの定位置に係止され、装着される。
【００２９】
次に、外上走行部１０の外上ローラ１３を外上レール８ａ上に載置して吊下げるように、外引戸６を上レール８に係合させる。そして、外引戸６下部の外下取付板３１内側の凹部３１ａに、予め挿入されている外ガイドローラ支持部３２を、下から上に押し込むようにして装着する。このとき、図４に示すように、外ガイドローラ支持部３２の外ガイドローラ３３が下ガイドレール９の外下ガイド溝９ａに入る。そして、図１５に示すように、外下取付板３１の係止部３１ｂが弾性変形して外ガイドローラ支持部３２の両側の被係止部３２ａの定位置に係止され、装着される。
【００３０】
このとき、図４に示すように、外上ローラ支持部１２の突出部１２ａが外上レール８ａの内側の溝部に進入し、内上ローラ支持部２２の突出部２２ａが内上レール８ｂの内側の溝部に進入するため、外上走行部１０と内上走行部２０のレールからの脱落が生じにくくなっている。
【００３１】
次に、外引戸６の高さをその上部両側に取り付けた外上走行部１０、１０の高さ調整ねじ１４、１４を回して調整する。このとき、両側の高さ調整ねじ１４，１４は、図２、図３に示すように、各々、外引戸６の側端側にそのねじの頭部が位置するため、外引戸６を適度に開放した状態として、引戸の両側から内側を覗き込むようにして、容易に工具を高さ調整ねじ１４，１４に当てて回すことができる。外上走行部１０は、高さ調整ねじ１４の回動に応じて、外上ローラ支持部１２が軸支ピン１１ｂを支点に上下方向に回動し、簡単に高さ調整を行なうことができる。
【００３２】
同様に、内引戸７の高さをその上部両側に取り付けた内上走行部２０、２０の高さ調整ねじ２４、２４を回して調整する。このときも、上記と同様に、両側の高さ調整ねじ２４，２４は、各々、内引戸７の側端側にそのねじの頭部が位置するため、内引戸７を適度に開放した状態として、引戸の両側から内側を覗き込むようにして、容易に工具を高さ調整ねじ２４，２４に当てて回すことができる。内上走行部２０は、高さ調整ねじ２４の回動に応じて、内上ローラ支持部２２が軸支ピン２１ｂを支点に上下方向に回動し、簡単に高さ調整を行なうことができる。
【００３３】
このように、外引戸６と内引戸７を備えたキャビネットであっても、アウトセット式で上吊り式の引戸とすることにより、両引戸を閉じた状態では、正面からキャビネット１の木口が露出しないので、キャビネット１の意匠性を向上させることができる。また、キャビネット１の天板２の上面に上レール用溝２ａが形成され、上レール用溝２ａに上レール８が嵌入され、キャビネット１の地板３の下面に下レール用溝３ａが形成され、下レール用溝３ａに外下ガイドレール９が嵌入されているため、引戸を開いたときに、上レール８及び下ガイドレール９がキャビネット１の正面に露出せず、レールや走行部をキャビネットの正面から見えなくして、キャビネットの良好な意匠性を確保することができる。
【００３４】
さらに、引戸の側方から挿入した工具により高さ調整ねじ１４，２４を回して高さ調整を行うから、引戸の高さを調整する際、開いた引戸の側方からねじ回しなどを挿入し、それを側方から視認しながら、高さ調整ねじ１４，２４を回して高さ調整を容易に行うことができる。
【００３５】
さらに、外下ガイド部３０と内下ガイド部４０を取り付ける際、外下ガイドローラ支持部３２を外下取付板３１に対し下側から上方に向かって定位置に挿入して嵌着し、内下ガイドローラ支持部４２を内下取付板４１に対し下側から上方に向かって定位置に挿入し嵌着するから、キャビネット１に引戸を取り付ける際、先ず外引戸６の外上走行部１０を上レール８の外上レール８ａに係合させ、内引戸７の内上走行部２０を上レール８の内上レール８ｂに係合させて引戸を吊下げた状態とし、次に、外引戸６の下部に固定された外下取付板３１の定位置に、外下ガイドローラ支持部３２を下から上に押し込むように嵌着させ、内引戸７の下部に固定された内下取付板４１の定位置に、内下ガイドローラ支持部４２を下から上に押し込むように嵌着するだけの簡単な操作で、外下ガイドローラ支持部３２と内下ガイドローラ支持部４２を下ガイドレール９に係合させ、引戸装置の取付け作業を完了することができる。
【図面の簡単な説明】
【００３６】
【図１】本発明の一実施形態を示すキャビネットの引戸装置の斜視図である。
【図２】外引戸の各走行部を示す正面に平行な縦断面図である。
【図３】内引戸の各走行部を示す正面に平行な縦断面図である。
【図４】外引戸と内引戸の重合部分における正面と直角な縦断面図である。
【図５】外上走行部の正面図である。
【図６】外下ガイド部の正面図である。
【図７】内上走行部の正面図である。
【図８】内下ガイド部の正面図である。
【図９】外上走行部の左側面図である。
【図１０】外下ガイド部の左側面図である。
【図１１】内上走行部の左側面図である。
【図１２】内下ガイド部の左側面図である。
【図１３】外上走行部の分解平面図である。
【図１４】内上走行部の分解平面図である。
【図１５】外下ガイド部の分解背面図である。
【図１６】外下ガイド部の分解左側面図である。
【図１７】内下ガイド部の分解背面図である。
【図１８】内下ガイド部の分解左側面図である。
【符号の説明】
【００３７】
１−キャビネット
２−天板
２ａ−上レール用溝
３−地板
３ａ−下レール用溝
６−外引戸
７−内引戸
８−上レール
８ａ−外上レール
８ｂ−内上レール
９−下ガイドレール
９ａ−外下ガイド溝
９ｂ−内下ガイド溝
１０−外上走行部
２０−内上走行部
３０−外下ガイド部
４０−内下ガイド部
１１−外上取付板
１２−外上ローラ支持部
１３−外上ローラ
１４−高さ調整ねじ
２１−内上取付板
２２−内上ローラ支持部
２３−内上ローラ
２４−高さ調整ねじ
３１−外下取付板
３２−外ガイドローラ支持部
３３−外ガイドローラ
４１−内下取付板
４２−内ガイドローラ支持部
４３−内ガイドローラ
【図１】
2006207196.tif 000003
【図２】
2006207196.tif 000004
【図３】
2006207196.tif 000005
【図４】
2006207196.tif 000006
【図５】
2006207196.tif 000007
【図６】
2006207196.tif 000008
【図７】
2006207196.tif 000009
【図８】
2006207196.tif 000010
【図９】
2006207196.tif 000011
【図１０】
2006207196.tif 000012
【図１１】
2006207196.tif 000013
【図１２】
2006207196.tif 000014
【図１３】
2006207196.tif 000015
【図１４】
2006207196.tif 000016
【図１５】
2006207196.tif 000017
【図１６】
2006207196.tif 000018
【図１７】
2006207196.tif 000019
【図１８】
2006207196.tif 000020